(57)【要約】  本発明は、競馬およびグレーハウンドレースなどのイベント、ルーレット、および他のイベントのためのゲーミングと賭博のためのシステム、方法、装置、およびユーザインターフェースを提供する。いくつかの実施形態によると、本システムは、１つまたは複数のイベントに関する第１の入力を受信する受信器を含む。第１の入力は、賭け金、少なくとも１つのイベントにおける２頭の馬などの少なくとも２つの選択肢、および報酬水準などの１つまたは複数の賭けタイプに関する少なくとも１つの入力を含むことができる。判断装置は、第１の入力に従って賭け金を自動的に判断するために受信器へ接続可能である。決定された賭け金は、収益を生じる賭けタイプを構成する賭けの確率に比例して少なくとも２つの選択肢を含む１つまたは複数の賭けタイプ間の賭け金の分配を含む。【選択図】図１
2014522522.tif 000002
【特許請求の範囲】
【請求項１】
少なくとも１つのイベントのための賭博および／またはゲーミングシステムであって、
前記イベントに関係する第１の入力であって、賭け金と、前記少なくとも１つのイベントにおける少なくとも２つの選択肢と、１つまたは複数の賭けタイプに関係する少なくとも１つの入力とを含む第１の入力を受信する受信器と、
前記第１の入力に従って賭け金を自動的に判断するために前記受信器に接続可能な判断装置と、を含むシステムにおいて、
前記決定された賭け金は、収益を生じる賭けタイプを構成する賭けの確率に比例して前記少なくとも２つの選択肢を含む前記１つまたは複数の賭けタイプ間の前記賭け金の分配を含む、ことを特徴とするシステム。
【請求項２】
請求項１に記載のシステムにおいて、１つまたは複数の賭けタイプに関係する前記少なくとも１つの入力は報酬水準の形式であることを特徴とするシステム。
【請求項３】
請求項１または２に記載のシステムにおいて、前記第１の入力は１つまたは複数のイベントの選択肢をさらに含むことを特徴とするシステム。
【請求項４】
請求項１乃至３の何れか一項に記載のシステムにおいて、
前記受信器は通信ネットワーク上でユーザから入力を受信するための遠隔通信アクセス装置の形式であることを特徴とするシステム。
【請求項５】
請求項１乃至４の何れか一項に記載のシステムにおいて、前記受信器は処理される賭博の前記選択または生成に関連する１つまたは複数の様式判断基準に関係する少なくとも１つの第２の入力を受信することを特徴とするシステム。
【請求項６】
請求項１乃至５の何れか一項に記載のシステムにおいて、前記判断装置は、決定された賭け金に対する報酬値を判断するために賭け金と賭け金に対する収益とを含む市場情報を提供する市場へ接続可能であることを特徴とするシステム。
【請求項７】
請求項５または６に記載のシステムにおいて、
前記判断装置は、前記第１の入力と、以下の情報、すなわち前記少なくとも１つの第２の入力と、前記市場情報と、前記少なくとも１つの第２の入力と前記市場情報とのうちの１つとに従って賭け金を自動的に判断することを特徴とするシステム。
【請求項８】
請求項１乃至７の何れか一項に記載のシステムにおいて、前記システムは、処理される前記選択された賭け金を出力するために前記判断装置に接続可能な出力装置を含むことを特徴とするシステム。
【請求項９】
請求項１乃至８の何れか一項に記載のシステムにおいて、前記システムは、ユーザが、市場の賭博オーガナイザへ送信するために前記ユーザに最も適した賭け金を処理できるようにすることを特徴とするシステム。
【請求項１０】
請求項５乃至９の何れか一項に記載のシステムにおいて、処理される賭博の前記選択および／または生成に関連する前記１つまたは複数の様式判断基準は、報酬値を最大限にすること、報酬値の機会を最大限にすること、保守的手法の特定の水準を取ること、リスクを伴う手法の特定の水準を取ることのうちの１つまたは複数を含むことを特徴とするシステム。
【請求項１１】
請求項１乃至１０の何れか一項に記載のシステムにおいて、前記判断装置は、賭け金の判断のための、イベント制御モジュール、賭け受諾モジュール、賭け生成モジュール、配当宣言モジュールのうちの１つまたは複数を含むことを特徴とするシステム。
【請求項１２】
請求項１乃至１１の何れか一項に記載のシステムにおいて、前記受信器は前記ユーザから入力を受信するためのゲーミング台上の領域の形態であることを特徴とするシステム。
【請求項１３】
請求項１乃至１２の何れか一項に記載のシステムにおいて、前記第１の入力の少なくとも１つおよび／または前記第２の入力の少なくとも１つはデフォルト設定されるまたはユーザにより選択されることを特徴とするシステム。
【請求項１４】
請求項１乃至１３の何れか一項に記載のシステムにおいて、前記賭け金は、ユーザにより規定される、複数の所定量の１つから選択される、選択後ユーザにより可変となる、前記イベントの最低金額を有する、の特徴のうちの１つまたは複数を有することを特徴とするシステム。
【請求項１５】
請求項１乃至１４の何れか一項に記載のシステムにおいて、前記イベントにおける選択のオプションは、「市場ムーバ」、「他の予想屋選択」、「市場における他の最も好ましい選択」、「重み付け無作為選択」のうちの１つまたは複数を含むことを特徴とするシステム。
【請求項１６】
請求項１乃至１５の何れか一項に記載のシステムにおいて、前記報酬水準は、可能な収益値に基づく色コード、可能な収益値に基づくラベル、可能な最大賞金値、可能な最小収益値、推定された可能な収益値、ある範囲の可能な収益値、促進要素、前記イベントの１つの促進に関連付けられた１つまたは複数の特定の収益値または賞のうちの１つまたは複数を含むことを特徴とするシステム。
【請求項１７】
請求項１乃至１６の何れか一項に記載のシステムにおいて、前記報酬水準を構成する前記賭けタイプ、前記報酬水準の前記賭けタイプへ分散される前記賭け金の割合、賭け金が基づく市場価格のうちの１つまたは複数はユーザにより可変であることを特徴とするシステム。
【請求項１８】
請求項１乃至１７の何れか一項に記載のシステムにおいて、前記イベントにおける選択は、前記賭けが成功するために前記イベントの結果における前記賭けタイプにおいて指名された着位を占めなければならないバンカー選択を含むことができることを特徴とするシステム。
【請求項１９】
請求項１乃至１８の何れか一項に記載のシステムにおいて、収益が前記賭けから得られそうもない場合に収益性警告を発生する判断装置をさらに含むことを特徴とするシステム。
【請求項２０】
イベントのための賭博および／またはゲーミング方法において、
受信器が、前記イベントに関係する第１の入力であって、賭け金と、前記イベントにおける少なくとも２つの選択肢と、１つまたは複数の賭けタイプに関係する少なくとも１つの入力とを含む第１の入力を受信する工程と、
前記受信器へ接続可能な判断装置において前記第１の入力に従って賭け金を自動的に判断する工程と、
収益を生じる賭けタイプを構成する賭けの確率に比例して前記少なくとも２つの選択肢を含む１つまたは複数の賭けタイプ間の前記賭け金の分配を判断する工程とを含むことを特徴とする方法。
【請求項２１】
請求項２０に記載の方法において、１つまたは複数の賭けタイプに関係する前記少なくとも１つの入力は報酬水準の形式であることを特徴とする方法。
【請求項２２】
請求項２０または２１に記載の方法において、処理される賭博の前記選択または生成に関連する１つまたは複数の様式判断基準に関係する少なくとも１つの第２の入力を受信する前記受信器を含むことを特徴とする方法。
【請求項２３】
請求項２０乃至２２の何れか一項に記載の方法において、処理される賭博の前記選択または生成に関連する１つまたは複数の様式判断基準に関係する少なくとも１つの第２の入力を受信する前記受信器を含むことを特徴とする方法。
【請求項２４】
請求項２０乃至２３の何れか一項に記載の方法において、決定された賭け金に対する報酬値を判断するために賭け金と賭け金に対する収益とを含む市場情報を提供する、判断装置へ接続可能な市場を含むことを特徴とする方法。
【請求項２５】
請求項２３または２４に記載の方法において、前記第１の入力と、前記少なくとも１つの第２の入力と、前記市場情報と、前記少なくとも１つの第２の入力と前記市場情報のうちの１つとに従って賭け金を自動的に判断する前記判断装置を含むことを特徴とする方法。
【請求項２６】
請求項２０乃至２５の何れか一項に記載の方法において、処理される前記選択または生成された賭け金を前記判断装置に接続可能な出力装置および／または賭博オーガナイザへ出力する工程を含むことを特徴とする方法。
【請求項２７】
請求項２０乃至２６の何れか一項に記載の方法において、前記第１の入力の少なくとも１つおよび／または前記第２の入力の少なくとも１つをデフォルトによりまたはユーザ入力に応じて設定する工程を含むことを特徴とする方法。
【請求項２８】
請求項２０乃至２７の何れか一項に記載の方法において、ユーザ入力に応じて、前記報酬水準を構成する前記賭けタイプ、前記報酬水準の前記賭けタイプへ分散される前記賭け金の割合、および賭け金が基づく市場価格のうちの１つまたは複数を変更する工程を含むことを特徴とする方法。
【請求項２９】
請求項２０乃至２８の何れか一項に記載の方法において、各賭けタイプにおいて前記イベントのバンカー選択の１つまたは複数を規定する工程を含むことを特徴とする方法。
【請求項３０】
請求項２０乃至２９の何れか一項に記載の方法において、収益が前記賭けから得られそうもない場合に収益性警告を発生する前記判断装置を含むことを特徴とする方法。
【請求項３１】
少なくとも１つのイベントのための賭博および／またはゲーミングを容易にする装置において、前記装置は、
少なくとも１つのイベントに関係する第１の入力であって、賭け金と、前記イベントにおける少なくとも２つの選択肢と、１つまたは複数の賭けタイプに関係する少なくとも１つの入力とを含む第１の入力を受信する受信器と、
前記第１の入力に従って賭け金を自動的に判断し、収益を生じる前記賭けタイプを構成する賭けの確率に比例して前記少なくとも２つの選択肢を含む１つまたは複数の賭けタイプ間の前記賭け金の分配を判断するためにコンピュータ可読プログラムコード部品を実行するために前記受信器に接続可能な判断装置とを含むことを特徴とする装置。
【請求項３２】
イベントのための賭博および／またはゲーミングを容易にするコンピュータ実施型ユーザインターフェースにおいて、
前記ユーザインターフェースは、前記イベントに関係する第１の入力であって、賭け金と、前記イベントにおける少なくとも２つの選択肢と、１つまたは複数の賭けタイプに関係する少なくとも１つの入力とを含む第１の入力を受信する作動可能な指標を含み、
前記作動可能な指標と通信する判断装置は、前記第１の入力に従って賭け金を自動的に判断し、収益を生じる賭けタイプを構成する賭けの確率に比例して前記少なくとも２つの選択肢を含む１つまたは複数の賭けタイプ間の前記賭け金の分配を判断するためにコンピュータ可読プログラムコード部品を実行することを特徴とするユーザインターフェース。
【発明の詳細な説明】
【技術分野】
【０００１】
本発明は、ゲーミングと賭博のためのシステム、方法、装置、およびユーザインターフェースに関する。具体的には、本発明は賭け金を生成することと、賭博オペレータにより賭け金を処理することとに関する。本発明は、イベント（またはイベント群）、例えばこれらに限定しないが競馬（ギャロッピング、トロッティング、ハーネス）とグレーハウンドレースに賭けをする参加者に関する。しかし、本発明は、他のタイプのイベント、ゲーム、およびルーレットなどのゲーミングに適用可能である。
【０００２】
本発明は、トータリゼータ（ｔｏｔａｌｉｓａｔｏｒ）賭博に最も容易に適用することができる。しかし、本発明は、このタイプの賭博に限定されず、実際には任意の賭博に適用することができる。本明細書では、本発明はこれらのフレームワーク内で理解するのが容易であるので、実例はトータリゼータ賭博、一般的賭けタイプ、およびルーレットを引き合いに出すことになる。
【背景技術】
【０００３】
競馬などのイベントについて賭けをする際に、多くの異なる賭けタイプ、例えばこれらに限定しないが（単勝、「２着までの複勝」、「３着までの複勝」、連勝単式、連勝複式、三連勝単式、四連勝単式、四連勝複式、および、実際、当該競走馬または競走馬群の選択成功から導出されるまたはそれに依存する配当を有するイベントまたはイベント群における１または複数の競走馬の選択を含む任意の他の賭けタイプ）多くの異なるタイプの賭け全体にわたって参加者の指名された選択肢または選択肢群を割り当てる手立てが存在する。
【０００４】
トータリゼータ賭博は、世界中でよく確立されており、その最も単純な形態では、イベント全体にわたる賭け金の受領、オペレータに対する委託料の控除、それらの賭け金から、トータリゼータプールの規則に基づき正しい選択肢を成功裡に選択した参加者へ資金の残りプールを分配することを含む。
【０００５】
例えば、トータリゼータ単勝プールがあれば、目的はイベントの勝利者を選択することである。連勝単式プールでは、目的は勝利者と第２着者とを順番に選択することである。この概念は、他のトータリゼータ賭けタイプと、三連勝単式（第１、第２、第３着者順）、四連勝単式（第１、第２、第３、第４着者順）などそれらの勝者の指名規則とに拡張することができる。
【０００６】
世界中のトータリゼータ会社により容易に提示される上述の賭けタイプは特定の特徴を有する。しかし、賭け規則は必ずしも参加者により容易に理解されるとは限らない（例えば、連勝複式と連勝単式賭けの両方はレースにおける第１と第２着者を選択することを含む。しかし、前者は正確な順序の選択を必要とせずしたがってより容易に勝てるが、後者は正確な順序の選択を必要とする）。
【０００７】
「エグゾティック（Ｅｘｏｔｉｃ）」賭け選択肢は、本明細書全体にわたって、勝者または２着者を単に選択すること以上のもの、すなわち単勝または「２着までの複勝」賭けタイプ以外のものを含む任意の賭けタイプである。これらのエグゾティック賭けは通常、順列（ｐｅｒｍｕｔａｔｉｏｎ）の数と各順列の百分率チャンスとが容易には理解されないので偶然性の賭け（ｈａｐｈａｚａｒｄ  ｓｔａｋｉｎｇ）となる。経験不足の賭け手であるエグゾティック賭けを行う人は、合理的数学を利用するのではなくむしろ利便性に基づいて賭ける傾向となる。利便性に基づくエグゾティック賭け操作は通常、非効率的賭けにより特徴付けられる賭けが行われることとなる。
【０００８】
例えば、顧客は、三連勝単式賭けを行うことを望み、１着〜３着まですべてを占める好機会を有すると考える４頭の馬を選択した。このような賭けは通常、「スタンドアウト（ｓｔａｎｄｏｕｔ）」または「ボックスド（ｂｏｘｅｄ）」様式の何れかで行われることになる。スタンドアウト賭けは、特定の着位を占めるために多くの選択肢が選択される場合である。ボックスド賭けは、３つの着位の組み合わせをなし得る選択肢のすべての順列または構成を賭ける場合である。
【０００９】
今、例えば、顧客が馬５、６、１０、および１１番の勝算があると考える例において、顧客がスタンドアウトおよびボックスド賭けを行うことを望めば以下のスタンドアウトおよびボックスド賭けを行うことができる。
2014522522.tif 000003
2014522522.tif 000004
【００１０】
スタンドアウトとボックスド例のそれぞれで、顧客は、賭け市場に基づき発生する各組み合わせの確率は同じではない（各馬は賭け市場において同じ配当率または値段ではないと仮定して）が各組み合わせに同じ金額を賭けた。このトータリゼータプール中への賭け操作の固有非効率性は、数学的に有利な比で各組み合わせに賭ける顧客より洗練された顧客によりしばしば活用される。実質的に、スタンドアウトおよびボックスド賭けを取る顧客（および、さらに単一賭けまたはフラット賭け顧客）は収益性のある賭けシナリオを洗練された顧客に提供している。
【００１１】
同様な問題と非効率性はルーレットなどのゲーミングに存在する。
【００１２】
要約すれば、既存システムは、それらの賭博およびゲーミング投資からの収益を最大限にするために、経験不足の顧客に障壁を与えると同時に、経験不足の顧客から収益を得るために、より専門的顧客の機会を提供する。さらに、潜在的顧客は、複雑な賭け選択肢の理解の欠如により賭けを行うことを全く差し控えるかもしれない。
【００１３】
本発明の好ましい目的は、現在の賭博および／またはゲーミング技術の課題の１つまたは複数に対処する、または上述の現在の賭博および／またはゲーミング技術の少なくとも１つまたは複数の問題を少なくとも改善する、または上述の現在の賭博およびゲーミング手段の代替案を提供することである。
【発明の概要】
【００１４】
必ずしも最も広い態様ではないが、一態様では、本発明は、少なくとも１つのイベントのための賭博および／またはゲーミングシステムに属し、本システムは、少なくとも１つのイベントに関係する第１の入力であって、賭け金と、少なくとも１つのイベントにおける少なくとも２つの選択肢と、１つまたは複数の賭けタイプに関係する少なくとも１つの入力とを含む第１の入力を受信する受信器と、第１の入力に従って賭け金を自動的に判断するために受信器に接続可能な判断装置とを含み、決定された賭け金は、収益を生じる賭けタイプを構成する賭けの確率に比例して少なくとも２つの選択肢を含む１つまたは複数の賭けタイプ間の賭け金の分配を含むことを特徴とする。
【００１５】
好適には、１つまたは複数の賭けタイプに関係する少なくとも１つの入力は報酬水準の形式である。
【００１６】
好適には、第１の入力は１つまたは複数のイベントの選択肢をさらに含む。
【００１７】
好適には、受信器は、処理される賭博の選択または生成に関連する１つまたは複数の様式判断基準に関係する少なくとも１つの第２の入力を受信する。
【００１８】
好適には、受信器は、通信ネットワーク上でユーザから第１の入力と任意選択的に１つまたは複数の第２の入力とを受信するための遠隔通信アクセス装置の形式である。
【００１９】
あるいは、受信器は、ユーザから第１の入力と任意選択的に１つまたは複数の第２の入力とを受け取るためのルーレット台などのゲーミング台上の領域の形態である。
【００２０】
好適には、判断装置は第１と第２の入力の両方に従って賭け金を自動的に判断する。
【００２１】
好適には、判断装置は、決定された賭け金に対する報酬値を判断するために賭け金と賭け金に対する収益とを含む市場情報を提供する市場に接続可能である。
【００２２】
好適には、判断装置は、第１と第２の入力と市場情報に従って適切な賭け処理を選択する。
【００２３】
好適には、本システムは、処理される選択または生成された賭け金を出力するために判断装置に接続可能な出力装置を含む。
【００２４】
本システムはその後、ユーザが、市場の賭博オーガナイザへ送信するために、ユーザに最も適した賭け金を処理できるようにする。
【００２５】
好適には、処理される賭博の選択および／または生成に関連する１つまたは複数の様式判断基準は、報酬値を最大限にすること、報酬値の機会を最大限にすること、保守的または冒険的手法などの特定の水準を取ることを含むことができる。
【００２６】
好適には、判断装置は、賭け金の判断のための、イベント制御モジュール、賭け受諾モジュール、賭け生成モジュール、配当宣言モジュールのうちの１つまたは複数を含む。
【００２７】
好適には、第１の入力の少なくとも１つおよび／または第２の入力の少なくとも１つはデフォルト設定されるまたはユーザにより選択される。
【００２８】
賭け金はユーザにより規定され、複数の所定量の１つから選択され、選択後ユーザにより可変となるおよび／またはイベントの最低額を有し得る。
【００２９】
好適には、イベントにおける選択のオプションは、「市場影響者」、「他の予想屋選択肢」、「市場における他の最も好ましい選択肢」、「重み付け無作為選択」のうちの１つまたは複数を含む。
【００３０】
好適には、報酬水準は、可能な収益値に基づく色コード、可能な収益値に基づくラベル、可能な最大賞金値、可能な最小収益値、推定された可能な収益値、ある範囲の可能な収益値、促進要素、イベントの１つの促進に関連付けられた１つまたは複数の特定の収益値または賞のうちの１つまたは複数を含む。
【００３１】
好適には、報酬水準を構成する賭けタイプ、報酬水準の賭けタイプに分散される賭け金の百分率、賭け金が基づく市場価格のうちの１つまたは複数がユーザにより可変となり得る。
【００３２】
好適には、イベントにおける選択は、賭けが成功するためにはイベントの結果における賭けタイプで指名された位置を占めなければならないバンカー（ｂａｎｋｅｒ）選択を含むことができる。
【００３３】
本システムはさらに、収益が賭けから得られそうもない場合に収益性警告を発生する判断装置を含み得る。
【００３４】
好適には、ユーザは、第１および／または第２の入力を、スマートフォン、ラップトップまたはデスクトップコンピュータ、タブレットなどの計算装置などを介し遠隔通信アクセス装置へ提供することができる。
【００３５】
好適には、第１の入力は、＄ｘなどの賭け金額、場所ｚにおけるレースｙなどのイベント、および連勝複式などの賭けタイプを含むことができる。第２の入力は、報酬値を最大限にするなどの様式判断基準を含むことができる。
【００３６】
判断装置は自動的に、第１と第２の入力に従って賭けのオプションを判断し、決定されたオプションの報酬値を判断し、第１と第２の入力に従って適切な賭けを選択することができる。
【００３７】
出力装置は、第１と第２の入力の要件を満たす、処理される賭けの選択または生成の出力を提供することができる。
【００３８】
賭け処理は様々な賭けタイプの集合である可能性がある。例えば競馬では、賭け処理は、単勝、２着までの複勝、および連勝複式、三連勝単式、四連勝複式などを含むエグゾティックを含むことができる。
【００３９】
好適には、賭けのオプションの判断と選択は、予想最終報酬値を判断しそして導出された賭けの最も正確な実行を可能にするために、賭けが処理されるイベントの開始近くで発生する。
【００４０】
必ずしも最も広い態様ではないが別の態様では、本発明は少なくとも１つのイベントのための賭博および／またはゲーミングのための方法に属し、本方法は、受信器が、少なくとも１つのイベントに関係する第１の入力であって、賭け金と、イベントにおける少なくとも２つの選択肢と、１つまたは複数の賭けタイプに関係する少なくとも１つの入力とを含む第１の入力を受信する工程と、受信器へ接続可能な判断装置において第１の入力に従って賭け金を自動的に判断する工程と、収益を生じる賭けタイプを構成する賭けの確率に比例して少なくとも２つの選択肢を含む１つまたは複数の賭けタイプ間の賭け金の分配を判断する工程を含む。
【００４１】
好適には、１つまたは複数の賭けタイプに関係する少なくとも１つの入力は報酬水準の形式である。
【００４２】
本方法は、処理される賭博の選択または生成に関連する１つまたは複数の様式判断基準に関係する少なくとも１つの第２の入力を受信する受信器を含み得る。
【００４３】
本方法は、決定された賭け金に対する報酬値を判断するために賭け金と賭け金に対する収益を提供する判断装置に接続可能な市場を含み得る。
【００４４】
本方法は、第１と第２の入力と市場からの通信とに従って賭け金を自動的に判断する判断装置を含み得る。
【００４５】
本方法は、処理される選択および生成された賭け金を出力装置へおよび／または判断装置に接続可能な賭博オーガナイザへ出力する工程を含み得る。
【００４６】
本方法は第１の入力と任意選択的に第２の入力とを入力する参加者のための入力装置を提供する工程を含み得る。
【００４７】
本方法は、賭けの収益を生じるイベントにおいて１つまたは複数の選択肢が好ましい結果を受け取る場合に収益を最大限にするために、１つまたは複数の賭けにわたるイベントにおける選択の最適割り当てを自動的に判断する判断装置を含み得る。
【００４８】
好適には、本方法は、賭けのオプションを査定し、賭けのオプションの収益の配当率を査定し、賭けのオプションの報酬水準を査定し、選択されたまたはデフォルト報酬水準に依存する最適割り当てを判断することにより最適割り当てを自動的に判断する判断装置を含む。
【００４９】
本方法は、賭け金を受け取り、ａ）合計賭け金を受諾し、ｂ）選択および報酬水準を検証し、ｃ）報酬水準に依存して多くの賭け投資全体にわたって合計賭け金を均衡させ、ｄ）すべての成功した賭けに対し配当を支払う賭博イベントの賭博オーガナイザを含み得る。
【００５０】
デフォルト報酬水準以外の報酬水準を選択することは、個々の賭けの数学的尤度、それらの導出確率、および勝ち配当を導出する「近似的に計算された配当」がデフォルト水準より高いまたは低いかの何れかとなるように、判断装置により生成される賭けタイプ全体にわたっておよび／またはその賭けタイプ内で個々の賭けの潜在的重みを増加するまたは減少するかの何れかの影響を有する。
【００５１】
本方法は好適には、デフォルトイベントまたは参加者により選択されるイベントに作用する賭けタイプ（またはトータリゼータプール）を判断することにより参加者によりなされる入力の検証を含む。プールが定義または状況により特定のイベントに結合される機会が存在する可能性がある。例えば、２つの偶発事象だけ（２競走馬だけによる競馬など）を有するイベントは、２競走馬だけが存在する状況により、２以下の競走馬の選択を必要とする関連付けられたトータリゼータプール（すなわち、単勝、２着までの複勝、連勝単式、および連勝複式トータリゼータプール）だけを有することに制限される。
【００５２】
別の例では、当該プールの規則を通して関連付けられたあるトータリゼータプールを有するイベントが存在し得る。例えば、スーパーカッドプール（ｓｕｐｅｒｑｕａｄ  ｐｏｏｌ）は、規定の競馬大会において最後の２つのレースにおいて４つの着位を順に選ぶことに関連付けられ得る。もし参加者が当該の特定大会において最後の２つのイベントの１つでないイベントを選択すれば、スーパーカッドプールは選択のオプションとしては除外される。
【００５３】
本方法は、量が規定限界（参加者または賭博オペレータにより設定され得る）内にあることをチェックすることを含む賭け金の量を検証する工程を含むことができる。
【００５４】
参加者により設定される限界は、賭博支出の「安全水準」を参加者の制御内に置くのを助ける「責任ある賭博」と呼ばれるものに関連付けられ得る。
【００５５】
賭博オペレータにより設定される限界は、これらに限定しないが、トータリゼータプールの大きさにとって適切または処理能力にとって適切である賭けを受諾することに関係し得る。
【００５６】
本方法は、計算に適用されなければならない報酬水準を判断する工程を含む、賭け金の賭けコンポーネントへの必要な分解を計算する工程を含み得る。好適には、参加者に利用可能な以下の多数の報酬水準が存在する。
・水準１（銅）これは最小の報酬水準である。
・水準２（銀）これは次に最小の報酬水準である。
・水準３（金）これは次に最小の報酬水準であり、他の水準が選択されなければデフォルト報酬水準であり得る。
水準４（プラチナ）これは次に最小の（すなわち２番目に高い）報酬である。
・水準５（ダイヤモンド）これは最も高い報酬水準である。
【００５７】
報酬水準が選択されると、適切な値が、さらなる計算で使用される報酬水準に関連付けられる。
【００５８】
報酬水準が確定されると（選択によりまたはデフォルトによりの何れかで）、報酬水準は、本発明内の内在賭けの計算を判定するためのパラメータの一部となる。
【００５９】
必ずしも最も広い態様ではないが、本発明の別の態様によると、参加者と賭博のオーガナイザとに関わる賭けを生成し処理する方法が提供される。本方法は、
ａ）参加者により指名されるまたは自動的に割り当てられる、賭けることができる結果を有するイベントの複数の選択肢を提供する工程と、
ｂ）各イベントに関する賞金の所定の規則を有する多くの異なる賭けタイプを提供する工程と、
ｃ）参加者の選択したイベント、このイベントにおいて指名された選択肢、賭け金、および選択されたまたはデフォルト報酬水準を受信する工程であって、報酬水準は報酬水準の範囲内のすべての賭けタイプ全体にわたって合計賭け金の所定割り当てを提供する、工程と、
ｄ）賭けの収益を生じるイベントにおいて１つまたは複数の選択肢が好ましい結果を得る場合には、収益を最大限にするために１つまたは複数の賭けにわたって賭け金および指名選択肢の最適割り当てを自動的に判断する工程とを含む。
【００６０】
好適には、本方法は、賭けタイプ毎に、指名された選択肢と市場または査定価格とに基づき各順列の理論価格と賭け金とを計算する工程を含む。
【００６１】
好適には、本方法は、全支出および個々の賭け金の上限および下限であって、最低および最高賭け金をそれぞれ適用する上限および下限を提供する工程を含む。
【００６２】
本方法は、１つまたは複数の追加試験、例えば全支出が理論的収益よりはるかに下回ることを保証する工程を含み得る。
【００６３】
本方法は、上限と下限と、上限と下限から外部制約とをチェックし、賭け金を自動的に再計算する工程を含み得る。
【００６４】
本方法は、賭けタイプ、順列、および賭け金額を含む賭け詳細を格納する工程を含み得る。
【００６５】
好適には、最適割り当てを自動的に判断する工程は、賭けのオプションを査定し、賭けのオプションの収益の配当率を査定し、賭けのオプションの報酬水準を査定し、選択されたまたはデフォルト報酬水準に依存する最適割り当てを判断し、顧客アカウントに対して賭けを記録し、イベントを追跡し、勝者アカウントへ入金する副工程を含む。
【００６６】
必ずしも最も広い態様ではないが、本発明の別の態様によると、少なくとも１つのイベントのための賭博および／またはゲーミングを容易にするコンピュータ実施型ユーザインターフェースが提供される。本ユーザインターフェースは、少なくとも１つのイベントに関係する第１の入力であって、賭け金と、少なくとも１つのイベントにおける少なくとも２つの選択肢と、１つまたは複数の賭けタイプに関係する少なくとも１つの入力とを含む第１の入力を受信するための作動可能な指標を含み、作動可能な指標と通信する判断装置は、第１の入力に従って賭け金を自動的に判断し、収益を生じる賭けタイプを構成する賭けの確率に比例して少なくとも２つの選択肢を含む１つまたは複数の賭けタイプ間の賭け金の分配を判断するためにコンピュータ可読プログラムコード部品を実行する。
【００６７】
本発明の別の態様および／または特徴は以下の詳細説明から明らかになる。
【００６８】
本発明がより容易に理解され、実際に実行されるために、本発明の実施形態について例証として添付図面を参照しさらに説明する。
【図面の簡単な説明】
【００６９】
【図１】図１は、本発明の実施形態による、賭博オーガナイザにより賭けを生成し処理するシステムと装置の全体線図である。
【図２Ａ】図２Ａは、４つの異なるタイプのユーザに関する、本発明の実施形態による、賭博オーガナイザにより賭けを生成し処理する方法を示す線図である。
【図２Ｂ】図２Ｂは、４つの異なるタイプのユーザに関する、本発明の実施形態による、賭博オーガナイザにより賭けを生成し処理する方法を示す線図である。
【図２Ｃ】図２Ｃは、４つの異なるタイプのユーザに関する、本発明の実施形態による、賭博オーガナイザにより賭けを生成し処理する方法を示す線図である。
【図２Ｄ】図２Ｄは、４つの異なるタイプのユーザに関する、本発明の実施形態による、賭博オーガナイザにより賭けを生成し処理する方法を示す線図である。
【図３】図３は、図１に示すシステムの判断装置のモジュールの概略図である。
【図４】図４は、本発明の実施形態による賭けの詳細を示す賭け領収書の例を示す。
【図５】図５は、イベントにおける選択を示す賭博および／またはゲーミングシステムのユーザインターフェースのスクリーンショットである。
【図６】図６は、賭け金の選択を示すユーザインターフェースのスクリーンショットである。
【図７】図７は、報酬水準の選択を示すユーザインターフェースのスクリーンショットである。
【図８】図８は、賭け金額の変更を示すユーザインターフェースのスクリーンショットである。
【図９】図９は、推定収益を示すユーザインターフェースのスクリーンショットである。
【図１０】図１０は、賭けの確認を示すユーザインターフェースのスクリーンショットである。
【図１１】図１１は、チケット収集を示すユーザインターフェースのスクリーンショットである。
【図１２】図１２は、提示された賭けを表示するユーザインターフェースのスクリーンショットである。
【図１３】図１３は、バンカー選択を示すユーザインターフェースのスクリーンショットである。
【図１４】図１４は、市場価格のカスタマイゼーションを示すユーザインターフェースのスクリーンショットである。
【図１５】図１５は、市場価格のカスタマイゼーションを示すユーザインターフェースのスクリーンショットである。
【図１６】図１６は、報酬水準のカスタマイゼーションを示すユーザインターフェースのスクリーンショットである。
【図１７】図１７は、報酬水準のカスタマイゼーションを示すユーザインターフェースのスクリーンショットである。
【図１８】図１８は、収益性警告を示すユーザインターフェースのスクリーンショットである。
【発明を実施するための形態】
【００７０】
添付図面内の要素は単純化と明確化のために示され、必ずしも原寸に比例して描かれていないということを当業者は理解する。
【００７１】
例えば、添付図面内の要素のいくつかの相対的寸法は本発明の実施形態の理解を高めるのを助けるために歪められることがある。
【００７２】
図１を参照すると、賭博オーガナイザにより賭けを生成し処理する賭博および／またはゲーミングシステム１０が示される。本システム１０は、第１と第２の入力Ｓ１とＳ２をそれぞれ受信する受信器１２を含むことができる。第１の入力Ｓ１は、＄ｘなどの賭け金額と、イベントにおける少なくとも２人の競争者またはオプションなどの少なくとも１つのイベントにおける少なくとも２つの選択肢とを含む。第１の入力はまた、場所ｚにおけるレースｙなどの１つまたは複数のイベントの選択肢と、単勝、２着までの複勝、連勝複式、三連勝単式、四連勝複式など１つまたは複数の賭けタイプに関係する少なくとも１つの入力とを含むことができる。１つまたは複数の賭けタイプに関係する少なくとも１つの入力は、以下に詳細に説明されるように、報酬水準の形式である可能性がある。第２の入力Ｓ２は、以下にさらに論述されるように、処理される賭けの選択または生成に関連する１つまたは複数の様式判断基準に関係する。
【００７３】
いくつかの実施形態では、システム１０は、ユーザから第１と第２の入力Ｓ１とＳ２を受信するための遠隔通信アクセス装置１４の形態の受信器１２を含む。遠隔通信アクセス装置１４は判断装置１６に接続可能である、またはいくつかの実施形態ではその一部を形成する。判断装置１６は、ウェブサイトなどを介しアクセス可能なサーバなどのプロセッサである可能性があり、いくつかの実施形態ではインターネットなどの通信ネットワーク１８を介し入力Ｓ１、Ｓ２を受信することができる。ユーザは、好適にはスマートフォン、ラップトップまたはデスクトップコンピュータ、タブレットなどの好適な操作可能計算装置などを介し第１および／または第２の入力を遠隔通信アクセス装置１４へ提供することができる。いくつかの実施形態では、第１の入力Ｓ１の少なくとも１つおよび／または第２の入力Ｓ２の少なくとも１つは、例を参照して以下にさらに論述されるように、デフォルト設定されるまたはユーザにより選択される。
【００７４】
判断装置１６は、第１と第２の入力Ｓ１、Ｓ２に従って賭けを処理するためのオプションを自動的に判断し、決定されたオプションに関する収益を判断し、第１と第２の入力に従って適切な賭け処理を選択する。出力装置２０は、第１と第２の入力の要件を満たすＢ１〜Ｂ５など１つまたは複数の賭け（生成され処理された）を出力するために判断装置１６に接続可能である。出力装置２０は、グラフィックユーザインターフェース（ＧＵＩ）などのディスプレイの形式である可能性がある。
【００７５】
判断装置１６による入力Ｓ１とＳ２の実際の賭けＢ１．．．Ｂ５への変換があるということが図１から分かる。１つまたは複数の賭けＢ１．．．Ｂ５はユーザにより確認されるかまたは拒絶されることができる。
【００７６】
いくつかの実施形態では、第１と第２の入力に従って賭けを処理するオプションを判断することは、決定されたオプションに関する報酬値を判断するために賭け金と賭け金に対する収益を提供する市場２２との通信を伴う。判断装置１６は、市場情報に基づき決定されたオプションの、第１と第２の入力と報酬水準など１つまたは複数の賭けタイプに関係する１つまたは複数の入力とに従って賭け金を自動的に選択する。
【００７７】
出力装置２０により提示される変換された選択肢Ｂ１．．．Ｂ５は、ユーザが市場２２の賭博オーガナイザへ送信するのに最良のやり方で賭けを処理できるようにする。
【００７８】
図２Ａ〜２Ｄを参照すると、特定の選択された形態の賭けを生成する際に４つの異なるタイプのユーザに関して、本発明の実施形態による賭博オーガナイザにより賭けを生成し処理するシステム１０を使用する方法が示される。場合によっては、本発明の実施形態に従って生成される賭けは本明細書ではＣｌｅｖａｂｅｔ（商標）と呼ばれる。
【００７９】
４つの異なるタイプのユーザは、必要な賭けを設定する顧客による異なる入力により例示される。通常の小売り客は図２Ａにおいて識別される。より経験豊富なまたは情報通の小売り客は図２Ｂにおいて識別される。不可解なまたは衝動的小売り客は図２Ｃにおいて識別される。準順専門的顧客は図２Ｄにおいて識別される。４つの異なるタイプのユーザに属する標示は４つの異なるカテゴリのユーザを例示するためだけの例として提供されるということが理解される。
【００８０】
Ｃｌｅｖａｂｅｔは、複数の馬などのレースにおいて２つ以上の選択肢を支持したいユーザに好適であるが、かれらの賭け金を専門的なやり方で賭けるための十分な技能、時間および／または機会を有していない。Ｃｌｅｖａｂｅｔは、ユーザが既に使用する単純入力（すなわち、合計の賭け金額または賭け金および選択肢数）を取るが、通常採用される偶然的なやり方の代わりにより専門的なやり方でこれらの選択肢を賭けるように設計される。
【００８１】
Ｃｌｅｖａｂｅｔは、小売り店において、レースにおいて、電話で、オンラインでなどすべてのチャネル上で利用可能となる、そして最も重要なことには、不適切な賭けを最もし易い（すなわち小売り店およびレースにおいて）ユーザがこのタイプの賭けを容易に行うことができるように、スマートフォンを介すなど携帯電話インターフェイスを介し容易にアクセス可能である。
【００８２】
いくつかの実施形態によると、デフォルトでは、すべてのＣｌｅｖａＢｅｔは、１つまたは複数の「デフォルト」水準または中間リスク水準に置かれる。これは、単勝およびエキゾティックプールに取り込む賭け金間での釣り合いが存在するであろうということを意味する。しかし、１つの変形は、ユーザが賭けのリスクプロファイルを変更する能力である。一例では、ユーザは追加コンポーネントを選択する。簡単にするために、変形オプションは、単に「高い」、「中間の」、または「低い」リスク選択肢であり得る。しかし、他の例では、５水準のリスクなどより多くの水準のリスクを提供することができる。リスク水準は、ＣｌｅｖａＢｅｔパッケージを構成するエグゾティック賭けからの収益を多かれ少なかれ強調する。
【００８３】
顧客人格のいくつかの例は以下の通りである。
１．カジュアルパンタのコリン（Ｃｏｌｉｎ  ｔｈｅ  Ｃａｓｕａｌ  Ｐｕｎｔｅｒ）
２．バズベッタのバリー（Ｂａｒｒｙ  ｔｈｅ  Ｂｕｚｚ  Ｂｅｔｔｏｒ）
３．ソーシャルレースゴーアのビッキー（Ｖｉｃｋｉ  ｔｈｅ  Ｓｏｃｉａｌ  Ｒａｃｅ  Ｇｏｅｒ）
４．メトロプレーヤのニコラス（Ｎｉｃｈｏｌａｓ  ｔｈｅ  Ｍｅｔｒｏ  Ｐｌａｙｅｒ）
【００８４】
カジュアルパンタのコリンは、図２Ａのように選択し合計金額を賭けた標準的小売り客である可能性が高い。この顧客は何頭かの馬と賭け金額を選択し、ＣｌｅｖａＢｅｔに、予め定義された報酬水準を通して賭け割り当ての面倒をみさせる。
【００８５】
バズベッタのバリーは、選択をして合計賭け金を判断することを望むだけでなく自身の報酬水準を生成または使用したい賭け経験豊富な小売り客である可能性が高い。例えば、この顧客は、何頭かの馬と賭け金を選択し、いくらの報酬と何の賭けタイプが自身の賭けに割り当てられるかを判断する。ＣｌｅｖａＢｅｔの使用は図２Ｂに示すような手順に従うことになる。
【００８６】
メトロプレーヤのニコラスは、自身の選択肢を有し合計賭け金を判断するだけでなく、自身の報酬水準を生成または使用したく、自身の市場価格を利用したい準専門的顧客である可能性がある。彼らは、専門的賭博方法で賭けを支出することができるＣｌｅｖａＢｅｔの利便性を理解するが、自身の市場調査をし査定額を形成するので一般価格の代わりに自身の市場過程を利用したい。したがって、これは図２Ｃの手順に従うことになる。
【００８７】
ソーシャルレースゴーアのビッキーは、不可解または衝動的な賭けを必要とする顧客である可能性がある。彼らが行いたい唯一の判断は合計賭け金である。彼らは、あるイベントに賭けたく、ＣｌｅｖａＢｅｔが賭け選択と賭け処理の残りを判断することに満足である。これは、図２Ｄの処理に従う可能性がある。
【００８８】
提案されたインターフェイスは、賭け操作ができるだけ簡単でありしたがって例えばオペレータによりレースに賭ける際に通常遭遇する困難を克服することを保証するように設計された。
【００８９】
いくつかの実施形態の顧客相互作用ステップは通常、
１．場所ｙにおけるレースｘなど賭けるべき少なくとも１つのイベントを選択する。
２．賭けるべき賭け金の合計額を選択する。顧客は、異なる選択肢を有するイベント毎に、本発明による複数の賭けを行い得るということを理解すべきである。
３．賭けにおいて望む選択肢を選択する。いくつかの実施形態では、最小は、単勝賭けに一致する１選択肢である。選択の最大数は、合計賭け金額の大きさにより理論的に制限されるが、いくつかの実施形態では約８つの選択肢である可能性がある。
４．リスク／報酬水準を選択する。あるいは、中間のデフォルト報酬水準またはより高い水準またはより低い水準を設定することができる。
５．「提示」を押すと、賭けの詳細内訳が表示される。
【００９０】
判断装置１６による内部処理は、本発明では引受業務を提供するために使用される解決策に依存する。しかし、図３を参照すると、いくつかの実施形態によると、判断装置１６はイベント制御モジュール２４、賭け受諾モジュール２６、賭け生成モジュール２８、および配当宣言モジュール３０を含むことができる。
【００９１】
イベント制御モジュール２４は賭けが行われるイベントを初期化する。各イベントにより支持されるエグゾティック賭けタイプが定義される。例えば、３頭の競走馬だけを有するレースは四連勝単式賭けタイプを支持しない。デフォルトリスク水準が各イベントに割り当てられる。多くの場合、デフォルトリスク水準は変わらない。しかし、デフォルトとして、顧客が１タイプの賭博による高リスク（例えばグレーハウンド賭博）および別のタイプの賭博によるより低いリスク（例えばギャロップ賭博）を好む個人的好みが存在する。
【００９２】
賭け受諾モジュール２６は、賭け金、合計賭け金額、およびリスク水準の選択肢を受信し、これらのパラメータを賭け生成モジュール２８へ渡す。賭け受諾モジュール２６はまた、賭けに利用可能な資金がありイベントは依然として開かれているということを確認することなどの通常の検証タスク、および他のこのような検証を行う。他の実施形態はまた、賭け金の重み付けが提示される前にこれを目立たせる、うろつかせる、そうでなければ変更する能力を可能にする。この機能は、特にオンライン賭博への応用である。賭け受諾モジュール２６はまた、これらのパラメータが有効であることをチェックする。
【００９３】
賭け生成モジュール２８は、顧客選択肢を受け取りこれらを最も賭けに効率的なやり方でコンポーネント単勝およびエキゾティックプールに入れる責任がある。これは、賭け処理の定義と賭け処理の背後のアルゴリズムとを必要とする。
【００９４】
配当宣言モジュール３０は、賭け金の内訳および各賭けタイプに対する合計賭け金の百分率を計算し提供することを含む賭け操作後の配当処理の責任がある。
【００９５】
本発明のユーザインターフェースは、データおよび表示領域制約条件を鑑みるとウェブベース経験より洗練されていないバージョンである可能性がある携帯電話画面上で使用するには十分に簡単である。顧客は、各コンポーネント賭けタイプとカバーされる順列とに賭けられた全体の賭け金（絶対値と百分率の両方）についての明確な認識を与えられる。順列は網羅的である可能性があるので、概要画面および詳細画面の両方が存在する。
【００９６】
特にユーザインターフェースのウェブサイトバージョン上では、異なる報酬水準が容易に判断され、異なる報酬水準を色と名前の両方の昇順で示すために任意選択的に色コード化することができる（例えば、銅−銀−金−プラチナ−ダイヤモンド）。
【００９７】
各異なる報酬水準全体にわたって単勝／２着までの複勝とエキゾティックとの間には定義された重み付けが存在する。
【００９８】
賭け金額はユーザにより最初に選択されることができる。利便性上、いくつかの事前設定済み賭け金額が表示される（例えば＄１０，＄２０，＄５０，＄１００）。いくつかの実施形態では、複数の賭け金額が存在する可能性がある。例えば２つの賭け金額が存在する可能性がある。最初のものは単勝賭け用で、第２番目ものはエグゾティック賭け用である。
【００９９】
最も簡単なモードは、両方の賭けタイプ（すなわち単勝賭け、エグゾティック賭け）をカバーする単一賭け金額である。以下はいくつかの例である。
・合計賭け金は＄５０、単勝賭け金は＄２５、エグゾティック賭け金は＄２５である。
・合計賭け金は＄１００、単勝賭け金は＄６０、エグゾティック賭け金は＄４０である。
・合計賭け金は、リスクプロファイルに従って単勝／エグゾティック全体にわたって分散される＄１００である。
【０１００】
賭け金額は、エグゾティック賭けの計算がなされた後残された「半端な」セントを有する可能性がある。これは望ましくないので好ましい実施形態では、すべての残り金額は、単勝賭けの組み合わせまたは収益を生じる最も高い確率を有する賭けにおける賭け金に従って他の組み合わせに吸収される。
【０１０１】
本発明の実施形態は多くの賭け規則を含む。１つの規則は「賭け金は組み合わせ（単勝、またはエキゾティック）勝ちの機会に比例して常に賭けられる」ということである。しかし、いくつかの実施形態では、顧客が固定された重み付けで（それが好みであれば）彼らの選択肢に賭けるためのオプションが存在する。
【０１０２】
別の規則は、顧客が「賭け金のうちのどれだけの割合が単勝および複勝賭けなどのより安全な賭けと考えられるものに賭けられるか」対「連勝単式および三連勝単式賭けなどのよりリスクの伴うエグゾティック賭けと考えられるものに賭けられるか」を指示できるということである。賭け割り当ての内訳はいくつの選択肢が選択されるかに依存する。以下の表３〜５は、予め定義された報酬水準と、選択された報酬水準に依存する各賭けタイプに関連付けられた賭け金の百分率または割合のいくつかの例を示す。
2014522522.tif 000005
2014522522.tif 000006
2014522522.tif 000007
【０１０３】
賭けが提示されると、図４に示されるように判断装置１６は賭け領収書を生成する。提示された賭け上のものと同じとなる賭けられた合計金額と各組み合わせに賭けられた金額とを含むいくつかの既知の情報について詳述する。
【０１０４】
本発明の実施形態は、参加者と賭博のオーガナイザ間で賭け金を生成し処理する方法を含む。本方法は、賭けることができる結果を有するイベントの複数の選択肢を提供する工程を含む。イベントはユーザにより指名されるまたは自動的に割り当てられる。
【０１０５】
本方法は各イベントに関する勝ちの所定の規則を有する多くの異なる賭けタイプを提供する工程を含む。
【０１０６】
本方法は、参加者が選択したイベント（例えば競馬イベント）、そのイベントにおいて指名された選択肢、賭け金、および報酬水準を受信する工程を含む。報酬水準の選択肢は、報酬水準の範囲内のすべての賭けタイプ全体にわたる合計賭け金の所定の割り当てを提供する。報酬水準がユーザにより指名されない場合、デフォルト報酬水準が適用される。
【０１０７】
本方法は、賭けの収益を生じるイベントにおいて１つまたは複数の選択肢が好ましい結果を受け取る場合に収益を最大限にするために、１つまたは複数の賭けにわたって指名選択肢の最適割り当てを自動的に判断する判断装置１６を含む。
【０１０８】
いくつかの実施形態によると、本方法は、賭けタイプ毎に、指名された選択肢と市場または査定価格とに基づき各順列の理論価格と賭け金とを計算する工程を含む。
【０１０９】
本方法は全支出および個々の賭け金の上限と下限とを与える工程を含む。上限と下限は最小および最大賭け金が適用される。本方法は、追加試験行う工程、例えば全支出が理論収益よりはるかに下回ることを保証する工程を含む。
【０１１０】
本方法は、上限と下限と、その上限と下限から賭け金を自動的に再計算することになる外部制約とをチェックする工程を含む。本方法はまた、賭けタイプ、順列、および賭け金額を含む賭け詳細を格納する工程を含む。
【０１１１】
最適割り当てを自動的に判断する工程は、賭けのオプションを査定し、賭けのオプションの収益の配当率を査定し、賭けのオプションの報酬水準を査定し、特定の選択されたまたはデフォルトの報酬水準に依存する最適割り当てを判断し、顧客の口座に対して賭け金を記録し、イベントを追跡し、勝ち口座へ入金する工程を含む。
【０１１２】
いくつかの実施形態では、賭けのオプションの判断と選択は、予想最終報酬値を判断しそして導出された賭け金の最も正確な配置を可能にするために、賭け金が処理されるイベントの開始近くで発生する。いくつかの実施形態では、判断装置１６は、市場が「十分に形成される」ような時間まで賭けタイプ内の各賭けの正確な賭け金を判断することを遅らせ、その後、賭けを行う。顧客は、賭けタイプ内の各賭け組み合わせに賭けられる正確な金額ではなく、顧客が有する賭け金の何パーセントが各賭けタイプに割り当てられたかを依然として知ることになる。
【０１１３】
本発明のいくつかの実施形態について、図５〜図１８に示すスクリーンショット内に示されたグラフィックユーザインターフェースを参照してさらに説明する。
【０１１４】
図５を参照すると、製品が標準構成であれば、顧客は、イベントにおいて２つ以上の選択（例えば競馬における馬）を行うことができる。競走馬は、製品により提供される内在賭けタイプにおける選択肢の基本となる。選択のオプションとしては、「市場ムーバ（ｍａｒｋｅｔ  ｍｏｖｅｒ）」、「他の予想屋選択肢（ｏｔｈｅｒ  ｔｉｐｓｔｅｒｓ  ｓｅｌｅｃｔｉｏｎｓ）」、「市場における最も有望な他の競走馬（ｔｈｅ  ｍｏｓｔ  ｏｔｈｅｒ  ｆａｖｏｕｒｅｄ  ｒｕｎｎｅｒｓ  ｉｎ  ｔｈｅ  ｍａｒｋｅｔ）」、「重み付け無作為選択（ｗｅｉｇｈｔｅｄ  ｒａｎｄｏｍ  ｓｅｌｅｃｔｉｏｎｓ）」などが挙げられる。
【０１１５】
あるいは、顧客は１つの選択を行う（例えば一競走馬を選択する）ことができ、本システムは、単一選択肢に１つまたは複数の追加選択肢を補足するオプションを提供する。他の選択のオプションを自動的に提供することができ、これらは前述の「市場ムーバ」、「他の予想屋選択肢」、「市場において最も有望な他の競走馬」、「重み付け無作為選択」などを含むことができる。
【０１１６】
いくつかの実施形態では、賭けタイプは複数のイベントに依存する。複数のイベントにおける選択肢は、顧客により選択されることができる、または顧客がデフォルト設定に従って自動的に選択することができる、または顧客選択とデフォルト選択との組み合わせである可能性がある。例えば、顧客は１つのイベントにおいて２つ以上の選択肢を入力することができ、残りのイベントにおける選択肢は顧客からの少なくとも１つの選択肢と少なくとも１つのデフォルト選択肢とを含む。
【０１１７】
図５に示すユーザインターフェースは、イベントの場所、タイプ、時間、およびイベントが始まるまでの時間を表示する。選択肢毎の現在の配当率が各選択肢の隣に示される。選択が行われると次のアイコンを選択することができる。
【０１１８】
ゲーミングにおける実施では、選択肢は、ルーレットのゲームにおける数字などの数字、または判断装置１６に入力を提供する必要がある任意の他の選択肢、およびゲーミングシステムの内在賭けタイプである可能性がある。ルーレットおよび他のゲーミング例では、受信器１４は、ユーザから第１の入力Ｓ１と任意選択的に１つまたは複数の第２の入力Ｓ２とを受け取るためのルーレット台などのゲーミング台上の領域の形態である可能性がある。このような実施形態は、賭博オペレータに仕えるオペレータに対し口頭命令を介し賭けを行う顧客を含むことができる。ゲーミング台またはプレイ領域は、実際のゲーミング台またはプレイ領域または電子的に実現されるバージョンである可能性がある。
【０１１９】
図６を参照すると、ユーザインターフェースはイベントの残りの選択肢（競走馬）を表示する。ユーザインターフェースはまた、その活性化により賭け金のそれぞれの額を選択するアイコンを表示する。この例では、８つの異なる事前設定賭け金額、＄１、＄２、＄５、＄１０、＄２０、＄２５、＄５０、または＄１００が選択用に利用可能である。しかし、他の事前設定金額を提示することができる。合計賭け金額の入力は、本明細書に記載の報酬水準を構成する様々な内在賭けタイプ全体にわたる選択肢に賭けられる合計賭け金を判断する。ユーザインターフェースは、選択された合計賭け金とこの例ではこのイベントの最小賭け金とを示す。
【０１２０】
図７を参照すると、上に説明したように、本発明の実施形態は、顧客が行使したいリスク／報酬／自信度に適切な報酬水準を選択する工程を含むことができる。報酬水準に関するユーザインターフェースの様々な特徴について以下に説明する。
【０１２１】
いくつかの実施形態では、報酬水準は色付けられ、色は報酬の内在値に対応し、例えばダイヤモンドは金より価値があり、適切に色付けられる。この例では、可能な収益の値の昇順で色付けられた報酬水準は、銅、銀、金、プラチナ、およびダイヤモンドである。
【０１２２】
いくつかの実施形態では、各報酬水準の可能な収益の値の指標が提供される。この例では、指標「最大賞金（Ｍａｘ  Ｗｉｎ）」値が報酬水準毎に表示される。これは、内在賭けの要件がすべて満足されれば、特定の報酬水準に従って、賭けを行う顧客が受け取ることができる最大収益である。
【０１２３】
しかし、他の実施形態では、範囲（例えば＄２００〜＄４００）または最小（例えば「＄４００＋」）を報酬水準毎に表示することができる。あるいは、選択に基づく内在賭けの要件がすべて満足されれば、各報酬水準が予想相対水準の収益を有するということに顧客が気付くように、強さまたはランクの別の指標を表示することができる。例えば、図９を参照すると、ユーザインターフェースは、どのように「最大賞金」が二者択一的に、正確な金額ではなく最小収益を有する「推定賞金」となり得るかを例示する。
【０１２４】
いくつかの実施形態では、促進（ｐｒｏｍｏｔｉｏｎａｌ）報酬などの１つまたは複数の別の報酬水準が存在する可能性がある。例えば、ブランド報酬水準（ｂｒａｎｄｅｄ  ｒｅｗａｒｄ  ｌｅｖｅｌ）が、あるイベントまたは促進に対応するために促進要素を含み存在することができる。この報酬水準は標準的報酬水準に対する追加であり得、促進の条件に基づき顧客に追加または特別の価値または賞または収益を提示することができる。
【０１２５】
本発明のいくつかの実施形態では、別のタイプの賭けは、決定されたオプションに含まれる賭けタイプを、賭け金が割り当てられる１つまたは複数の賭けタイプに制限する予め定義された賭博構成を含む「速い（ｑｕｉｃｋ）」賭けである。例えば、「速い連勝複式」は、単勝および連勝複式賭けの選択肢に対して賭け金を比例的に賭けるだけであろう。
【０１２６】
図８を参照すると、ユーザインターフェースは、賭けられた合計金額を上げるまたは下げるために、賭け金ボックス内にオプションを含むことができる。オンスクリーン制御は賭け金を増加または減少させることができるようにし、示された報酬収益を同時に更新する。図８に示す例では、賭け金は図７に示す＄４０賭け金から＄５０に増加された。したがって、報酬水準毎の可能な最大賞金が更新された。例えば、合計賭け金を＄４０から＄５０に増加することにより、ダイヤモンド報酬水準は、選択に基づく内在賭けの要件がすべて満足されれば＄１，８７９の代わりに＄２，３４９の最大収益を戻す。
【０１２７】
いくつかの実施形態では、ユーザインターフェースは、顧客がその報酬水準を構成する内在賭け金に慣れていなければ顧客が報酬水準の内訳／規則の定義を得られるようにする機能を含む。例えば、報酬水準上にカーソルなどを持ってくることにより、内在規則と報酬水準を構成する賭け金とのさらなる詳細を表示することができる。
【０１２８】
図１０は、ユーザインターフェースの確認画面を示す。図１０は、発生しようとする賭け処理の詳細を示す。この例では、顧客は、特定の競馬において合計賭け金＄４０の３つの選択を行った。デフォルト報酬水準または顧客により選択され得る報酬水準はプラチナである。この報酬水準は、選択に基づき内在賭けの要件がすべて満足されれば＄１，００３の推定最大収益を有する。例えば、トータリゼータ環境では、実際の収益は、イベントがクローズされすべての賭け金が照合されるまで、正確には知らされない。この報酬水準の内在賭けは、３つの単勝賭け、６つの連勝単式、および６つの三連勝単式を含む。＄４０の合計賭け金は、単勝賭けに＄１４、連勝単式に＄１３、および三連勝単式に＄１３を有するこれらの３つの賭けタイプ間で分配される。ユーザインターフェースは、ユーザインターフェース上に示された賭けを行うための「賭け提示」アイコンを含む。
【０１２９】
図１１を参照すると、賭けが提示されると、ユーザインターフェースは、賭けが小売り販売店またはレースコースにおける端末を介し行われていれば、顧客に印刷済みチケットを収集するように指示することができる。代案として、図１２に示すように、ユーザインターフェースは、顧客により顧客の装置上に保存および／または印刷することができる、画面上に提示された賭けの領収書を表示する。
【０１３０】
図１３を参照すると、いくつかの実施形態では、顧客は、顧客の選択肢のうちの１つまたは複数を「バンカー」選択にすることができる。これは、「内在賭けは、バンカー選択を含む内在賭けの組み合わせだけがなされるように、その配置が歪められる」ということを意味する。通常、バンカー選択は単勝用となるが、これは、他の着位へ適用するカスタマイゼーション機能下で変更することができる。バンカー選択は、収益が生じるためにはイベントの結果においてそれらの指名着位を満たさなければならない。しかし、より少ない組み合わせがなされ、合計賭け金の大部分がこれら勝ち組み合わせに賭けられるので、結果収益は、バンカー選択を利用しない場合よりも大きくなる。図１３に示す例では、バンカー選択は単勝の２つの選択肢（馬）を含む。バンカー選択の別の例は、イベントにおける第１と第２着位のバンカー選択として選択肢２と５を有することができる。これは、２−５または５−２がイベントにおいて第１と第２着位にそれぞれ来なければならなく、他の指名選択肢は他の着位で終了しなければならない（賭けタイプは、三連勝単式または四連勝単式賭けなどの賭けタイプと同様に、第１と第２着位だけより多い選択肢を含むと仮定する）ということを意味する。
【０１３１】
図１４と図１５を参照すると、ユーザインターフェースは、賭けられたイベントに適用可能であれば、市場価格を変更するために市場価格ガイドに関するオプションを含むことができる。例えば、このオプションは競馬などのイベントに関する賭博のために提供され得るが、固定した収益を有するルーレットなどのゲーミングアプリケーションにおいて使用される可能性は低い。図１４と図１５は、どのように価格を、画面上に現在表示されているもの（通常は、一般市場価格）から変更することができるかを例示する。これは、顧客が予想市況変更に合わせて調整できるようにし、また、自身の市場分析に基づき選択できるようにする。
【０１３２】
図１６と図１７を参照すると、いくつかの実施形態では、ユーザインターフェースはアイコンを表示し、ユーザインターフェースは顧客が報酬水準の構成を顧客自身の要件に変更できるようにする内在機能を含む。これは、顧客が自身の要件に適するように標準的報酬水準を規定し変更できるようにする。ユーザインターフェースは、各報酬水準のそれぞれの内在賭けタイプへ分散される賭けの様々な百分率を容易に変更するための「スライダバー」などのスクリーン装置の手立てを示すが、他の制御装置を使用することができるかもしれない。いくつかの実施形態では、報酬水準を構成する賭けタイプはユーザにより可変である。例えば、連勝単式賭けタイプは、特定の報酬水準においては異なる賭けタイプと交換することができるかもしれない。
【０１３３】
図１８を参照すると、本発明のいくつかの実施形態は収益性警告設備を含むことができる。他のゲーミングおよび賭博製品に無いのは内蔵セーフティ機構である。内蔵セーフティ機構は、顧客が賭け金から収益を得られそうもない場合に顧客に警告することにより、責任のある賭博を支援する。収益性警告設備は、顧客が余りにも多くの選択肢に賭けようとしたおよび／または余りにも多くの選択肢を余りに低い価格で賭けようとしたという警告を含む。いくつかの実施形態では、収益性警告は、顧客が選択された賭けを続けることができるように無視することができる。
【０１３４】
顧客が賭けを行う際に最小努力を費やすことを望む実施形態によると、顧客は賭けたい賭け金額を単に選択することができる。本発明は、図２Ｄに示すような不可解な賭けについては、残りの必要な入力を自動的に判断する。例えば、デフォルトイベントは、賭けを行う時間が依然としてある特定の場所における次のイベントである可能性がある。デフォルト報酬水準は、利用可能な複数の報酬水準からの最も保守的報酬水準または中央の報酬水準である可能性がある。イベントにおける選択肢は、重み付け無作為選択などの本明細書に記載の例である可能性がある。
【０１３５】
本発明のコンピュータ実施型バージョンはコンピュータ読み取り可能媒体を含むメモリの形式の記憶装置と通信するように結合された少なくとも１つのプロセッサを含むということが理解される。コンピュータ読み取り可能媒体は、本明細書に記載の本発明のいくつかの実施形態を行うために、プロセッサにより少なくともそのいくつかが実行されるコンピュータ可読プログラムコード部品を含む。
【０１３６】
本明細書に記載のグラフィックユーザインターフェースは、本明細書に記載の本発明のいくつかの実施形態を行うために、少なくとも１つのプロセッサにより処理される入力を受信し有効にするために例えばタッチスクリーンを介しまたは可動カーソルとボタンを使用することによりユーザにより選択可能な作動可能指標を含むということが理解される。
【０１３７】
したがって、本発明の実施形態は、従来技術の前述の問題に対処するまたはそれを少なくとも改善する。本発明のシステム、方法、および装置は、ある範囲の顧客が新しいやり方で既存の賭けタイプを使用できるようにする。経験不足の顧客は、広範な研究または学習の必要無しに、より複雑な賭けタイプおよび順列を活用することができる。それにもかかわらず、本発明の実施形態はそれらの内在賭けの内訳を提供することにより顧客にとって教育的となる。
【０１３８】
本発明の報酬水準は、経験不足の顧客と経験豊かな顧客の両方ための、賭けを行い収益を増加させるための情報豊富で、便利で、かつより効率的なやり方を提供する。各賭けは、収益を生じる賭けタイプを構成する賭けの確率に比例して少なくとも２つの選択肢を含む１つまたは複数の賭けタイプ間の賭け金の分配を含む。収益は、賭け金を単に増加することによるのではなくむしろ報酬水準に従って異なる賭けタイプ全体にわたって賭け金をより効率的に配置することにより増加される可能性がある。カスタマイズ可能な報酬水準、カスタマイズ可能な市場価格、およびバンカー選択などの本発明の特徴は、賭け金の選択と配置の改善された柔軟性および汎用性を提供する。
【０１３９】
本発明のいくつかの実施形態は、そうでなければ顧客が賭けタイプの理解の欠如により参加しない場合に顧客が賭博および／またはゲーミングに参加するように勇気付ける。したがって、多額の資金は、一般的には本システム内で特にはエキゾティックプール内で循環される。賭け金は一日などの賭博期間中に一様にすることができ、したがって変わりやすい配当の少なくとも一部を除くことにより大きな安定性を提供する。顧客は、より情報に基づき、楽しく、かつ刺激的なゲーミング経験を提供され、収益増加によりより長く通常はプレーできる。本発明の収益性警告設備は、責任ある賭博を促進し、顧客の選択が収益を還元しそうもない場合に顧客に通知し、これにより顧客にその選択を再考する機会を与える。
【０１４０】
賭博オーガナイザにより賭けを生成し処理するシステム、方法、装置、ユーザインターフェースおよび特にオンラインシステムを含む賭博とゲーミングのためのシステム、方法、装置、ユーザインターフェース、の特定の実施形態について本明細書で説明した。本発明の他の実施形態は任意の数の前述の特徴およびその組み合わせを呈示できるということがさらに企図されている。しかし、任意の変形および修正は、添付特許請求の範囲により定義されるように、本発明の範囲から逸脱すること無くなすことができるということを理解すべきである。
【０１４１】
本明細書では、用語「含む（ｃｏｍｐｒｉｓｅ，ｃｏｍｐｒｉｓｅｓ，ｃｏｍｐｒｉｓｉｎｇ）」または同様の用語は、要素のリストを含むシステム、方法または装置がそれらの要素を単独で含むのではなく他の列記されていない要素を含み得るように、非独占的包含を意味するように意図されている。
【図１】
2014522522.tif 000008
【図２Ａ】
2014522522.tif 000009
【図２Ｂ】
2014522522.tif 000010
【図２Ｃ】
2014522522.tif 000011
【図２Ｄ】
2014522522.tif 000012
【図３】
2014522522.tif 000013
【図４】
2014522522.tif 000014
【図５】
2014522522.tif 000015
【図６】
2014522522.tif 000016
【図７】
2014522522.tif 000017
【図８】
2014522522.tif 000018
【図９】
2014522522.tif 000019
【図１０】
2014522522.tif 000020
【図１１】
2014522522.tif 000021
【図１２】
2014522522.tif 000022
【図１３】
2014522522.tif 000023
【図１４】
2014522522.tif 000024
【図１５】
2014522522.tif 000025
【図１６】
2014522522.tif 000026
【図１７】
2014522522.tif 000027
【図１８】
2014522522.tif 000028
【国際調査報告】
2014522522.tif 000029
2014522522.tif 000030